(57)【要約】  いくつかの実施形態によれば、無線通信ネットワークの無線送信機において使用するための方法は、スロットに関する制御情報を提供することを備える。制御情報は、スロットが第１のタイプであるか第２のタイプであるかのインジケーションを含む。第１のタイプのスロットはスロット間隔の境界で始まり、第２のタイプのスロットはスロット間隔の境界の間で始まり、任意の長さを有するか、またはスロット間隔の境界で始まり、長さが短くなっている。制御情報は、スロットが第２のタイプである場合、暗黙的または明示的な基準信号タイミングのインジケーションを含む。この方法は、制御情報を無線受信機に送信することをさらに含む。  【選択図】  図２
2020526080.tif 000002
【特許請求の範囲】
【請求項１】
無線通信ネットワークの無線送信機において使用するための方法であって、
スロットに関する制御情報であって、前記スロットが第１のタイプであるか第２のタイプであるかのインジケーションを含む制御情報を提供すること（７１２）と、
前記制御情報を無線受信機に送信すること（７１４）と、
を含み、
前記第１のタイプのスロットは、スロット間隔の境界で始まり、前記第２のタイプのスロットは、スロット間隔境界の間で始まり任意の長さを有するか、またはスロット間隔境界で始まり短縮した長さを有し、
前記スロットが前記第２のタイプである場合、前記制御情報は暗黙的または明示的な基準信号のタイミングのインジケーションを含む方法。
【請求項２】
請求項１に記載の方法であって、前記スロットが前記第１のタイプである場合はいつでも、前記制御情報に明示的な基準信号のタイミングのインジケーションが不在であり、前記不在は、所定の基準信号のタイミングを意味する方法。
【請求項３】
請求項２に記載の方法であって、
前記所定の基準信号のタイミングは前記スロット内のシンボルであって、前記シンボルは、
制御データの送信のための先頭シンボルと、
少なくともデータの送信のための先頭シンボルと、
データのみの送信のための先頭シンボルと、
ダウンリンク制御シグナリングのためにモニタリングされるべき制御リソースセット（ＣＯＲＥＳＥＴ）を備える先頭シンボルと、
スロット間隔における先頭シンボルと、
制御データの送信のための最終シンボルと、
少なくともデータの送信のための最終シンボルと、
データのみの送信のための最終シンボルと、
ダウンリンク制御シグナリングのためにモニタリングされるべきＣＯＲＥＳＥＴを備える最終シンボルと、
スロット間隔における最終シンボルと、
のいずれかであるシンボルに対して所定のオフセットを有するシンボルである方法。
【請求項４】
請求項２に記載の方法であって、前記所定の基準信号のタイミングは、指示されたデータチャネル開始位置に対して所定のゼロまたは非ゼロオフセットを有するシンボルである方法。
【請求項５】
請求項４に記載の方法であって、前記データチャネル開始位置のインジケーションが、前記制御情報に含まれる方法。
【請求項６】
請求項１から５のいずれか１項に記載の方法であって、前記基準信号は復調基準信号（ＤＭ−ＲＳ）を含む方法。
【請求項７】
請求項１から６のいずれか１項に記載の方法であって、前記基準信号のタイミングのインジケーションは、複数の基準信号に関連付けられる方法。
【請求項８】
請求項７に記載の方法であって、前記複数の基準信号内の各基準信号は、独立したタイミングを有する方法。
【請求項９】
請求項７に記載の方法であって、前記複数の基準信号中の第１の基準信号は独立したタイミングを有し、前記複数の基準信号中の第２の基準信号は前記第１の基準信号に対して固定オフセットを有し、前記基準信号のタイミングのインジケーションが前記第１の基準信号の明示的なタイミングのインジケーションを含むが、前記第２の基準信号の明示的なタイミングのインジケーションを含まない方法。
【請求項１０】
請求項１から９のいずれか１項に記載の方法であって、前記制御情報は、少なくとも１つの基準信号に対する明示的な基準信号のタイミングのインジケーションを含む方法。
【請求項１１】
請求項１０に記載の方法であって、前記明示的な基準信号のタイミングのインジケーションは、
制御データの送信のための先頭シンボルと、
少なくともデータの送信のための先頭シンボルと、
データのみの送信のための先頭シンボルと、
制御リソース設定（ＣＯＲＥＳＥＴ）を備える先頭シンボルと、
スロット間隔における先頭シンボルと、
制御データの送信のための最終シンボルと、
少なくともデータの送信のための最終シンボルと、
データのみの送信のための最終シンボルと、
ＣＯＲＥＳＥＴを備える最終シンボルと、
スロット間隔における最終シンボルと、
のうちの１つに対する可変オフセット（ＬDMRS）を表す方法。
【請求項１２】
請求項１０に記載の方法であって、前記明示的な基準信号のタイミングのインジケーションは、指示されたデータチャネル開始位置に対する可変オフセット（ＬDMRS）を表す方法。
【請求項１３】
請求項１から１２のいずれか１項に記載の方法であって、前記第２のタイプの前記スロットは、ミニスロットである方法。
【請求項１４】
請求項１３に記載の方法であって、前記ミニスロットはスケジューリング可能なシンボル数を含み、前記スケジューリング可能なシンボル数は、スロット間隔のシンボル数未満である方法。
【請求項１５】
請求項１から１４のいずれか１項に記載の方法であって、前記無線送信機は、ネットワークノードである方法。
【請求項１６】
請求項１から１４のいずれか１項に記載の方法であって、前記無線送信機は無線装置である方法。
【請求項１７】
処理回路（９２０、１０２０）を含む無線送信機（１１０、１２０）であって、
スロットに関する制御情報であって、前記スロットが第１のタイプであるか第２のタイプであるかのインジケーションを含む制御情報を提供し、
前記制御情報を無線受信機（１１０、１２０）に送信する、
ように動作可能であり、
前記第１のタイプのスロットはスロット間隔の境界で開始し、前記第２のタイプのスロットはスロット間隔の境界の間で開始して任意の長さを有するか、またはスロット間隔の境界で開始して短縮した長さを有し、
前記制御情報は前記スロットが前記第２のタイプである場合、暗黙的または明示的な基準信号のタイミングのインジケーションを含む無線送信機。
【請求項１８】
請求項１７に記載の無線送信機であって、前記スロットが前記第１のタイプのものである場合はいつでも、前記制御情報に明示的な基準信号のタイミングのインジケーションが不在であり、前記不在は、所定の基準信号のタイミングを意味する無線送信機。
【請求項１９】
請求項１８に記載の無線送信機であって、
前記所定の基準信号のタイミングは前記スロット内のシンボルであって、
制御データの送信のための先頭シンボルと、
少なくともデータの送信のための先頭シンボルと、
データのみの送信のための先頭シンボルと、
ダウンリンク制御シグナリングのためにモニタリングされるべき制御リソースセット（ＣＯＲＥＳＥＴ）を備える先頭シンボルと、
スロット間隔における先頭シンボルと、
制御データの送信のための最終シンボルと、
少なくともデータの送信のための最終シンボルと、
データのみの送信のための最終シンボルと、
ダウンリンク制御シグナリングのためにモニタリングされるべきＣＯＲＥＳＥＴを備える最終シンボルと、
スロット間隔における最終シンボルと、
のいずれかであるシンボルに対して所定のオフセットを有するシンボルである無線送信機。
【請求項２０】
請求項１８に記載の無線送信機であって、前記所定の基準信号のタイミングは、指示されたデータチャネル開始位置に対して所定のゼロまたは非ゼロオフセットを有するシンボルである無線送信機。
【請求項２１】
請求項２０に記載の無線送信機であって、前記データチャネル開始位置のインジケーションが、前記制御情報に含まれる無線送信機。
【請求項２２】
請求項１７から２１のいずれか１項に記載の無線送信機であって、前記基準信号は復調基準信号（ＤＭ−ＲＳ）を含む無線送信機。
【請求項２３】
請求項１７から２２のいずれか１項に記載の無線送信機であって、前記基準信号のタイミングのインジケーションは、複数の基準信号に関連付けられる無線送信機。
【請求項２４】
請求項２３に記載の無線送信機であって、前記複数の基準信号内の各基準信号は、独立したタイミングを有する無線送信機。
【請求項２５】
請求項２３に記載の無線送信機であって、前記複数の基準信号中の第１の基準信号は独立したタイミングを有し、前記複数の基準信号中の第２の基準信号は前記第１の基準信号に対して固定オフセットを有し、前記基準信号のタイミングのインジケーションが前記第１の基準信号の明示的なタイミングのインジケーションを含むが、前記第２の基準信号の明示的なタイミングのインジケーションを含まない無線送信機。
【請求項２６】
請求項１７から２５のいずれか１項に記載の無線送信機であって、前記制御情報は、少なくとも１つの基準信号に対する明示的な基準信号のタイミングのインジケーションを含む無線送信機。
【請求項２７】
請求項２６に記載の無線送信機であって、前記明示的な基準信号のタイミングのインジケーションは、
制御データの送信のための先頭シンボルと、
少なくともデータの送信のための先頭シンボルと、
データのみの送信のための先頭シンボルと、
制御リソース設定（ＣＯＲＥＳＥＴ）を備える先頭シンボルと、
スロット間隔における先頭シンボルと、
制御データの送信のための最終シンボルと、
少なくともデータの送信のための最終シンボルと、
データのみの送信のための最終シンボルと、
ＣＯＲＥＳＥＴを備える最終シンボルと、
スロット間隔における最終シンボルと、
のうちの１つに対する可変オフセット（ＬDMRS）を表す無線送信機。
【請求項２８】
請求項２６に記載の無線送信機であって、前記明示的な基準信号タイミングのインジケーションは、指示されたデータチャネル開始位置に対する可変オフセット（ＬDMRS）を表す無線送信機。
【請求項２９】
請求項１７から２８のいずれか１項に記載の無線送信機であって、前記第２のタイプの前記スロットは、ミニスロットである無線送信機。
【請求項３０】
請求項２９に記載の無線送信機であって、前記ミニスロットはスケジューリング可能なシンボル数を含み、前記スケジューリング可能なシンボル数は、スロット間隔のシンボル数未満である無線送信機。
【請求項３１】
請求項１７から３０のいずれか１項に記載の無線送信機であって、前記無線送信機は、ネットワークノードである無線送信機。
【請求項３２】
請求項１７から３０のいずれか１項に記載の無線送信機であって、前記無線送信機は無線装置である無線送信機。
【請求項３３】
無線通信ネットワークの無線受信機において使用するための方法であって、
スロットに関する制御情報であって、スロットタイプのインジケーションを含む、制御情報を受信すること（８１２）と、
前記スロットタイプの前記インジケーションに基づいて、前記スロットが第１のタイプであるか第２のタイプであるかを判定すること（８１４）と、
を含み、
前記第１のタイプのスロットはスロット間隔の境界で開始し、前記第２のタイプのスロットはスロット間隔の境界の間で開始して任意の長さを有するか、またはスロット間隔の境界で開始して短縮された長さを有し、
前記スロットが前記第２のタイプである場合、暗黙的または明示的な基準信号のタイミングのインジケーションが前記制御情報の一部として受信される方法。
【請求項３４】
請求項３３に記載の方法であって、前記スロットが前記第１のタイプのものである場合はいつでも、前記制御情報に明示的な基準信号のタイミングのインジケーションが不在であり、前記不在は、所定の基準信号のタイミングを意味する方法。
【請求項３５】
請求項３４に記載の方法であって、
前記所定の基準信号のタイミングは、前記スロット内のシンボルであって、
制御データの送信のための先頭シンボルと、
少なくともデータの送信のための先頭シンボルと、
データのみの送信のための先頭シンボルと、
ダウンリンク制御シグナリングのためにモニタリングされるべき制御リソースセット（ＣＯＲＥＳＥＴ）を備える先頭シンボルと、
スロット間隔における先頭シンボルと、
制御データの送信のための最終シンボルと、
少なくともデータの送信のための最終シンボルと、
データのみの送信のための最終シンボルと、
ダウンリンク制御シグナリングのためにモニタリングされるべきＣＯＲＥＳＥＴを備える最終シンボルと、
スロット間隔における最終シンボルと、
のいずれかであるシンボルに対して所定のオフセットを有するシンボルである方法。
【請求項３６】
請求項３４に記載の方法であって、前記所定の基準信号タイミングは、指示されたデータチャネル開始位置に対して所定のゼロまたは非ゼロオフセットを有するシンボルである方法。
【請求項３７】
請求項３６に記載の方法であって、前記データチャネル開始位置のインジケーションが、前記制御情報に含まれる方法。
【請求項３８】
請求項３３から３７のいずれか１項に記載の方法であって、前記基準信号は復調基準信号（ＤＭ−ＲＳ）を含む方法。
【請求項３９】
請求項３３から３８のいずれか１項に記載の方法であって、前記基準信号のタイミングのインジケーションは、複数の基準信号に関連付けられる方法。
【請求項４０】
請求項３９に記載の方法であって、前記複数の基準信号内の各基準信号は、独立したタイミングを有する方法。
【請求項４１】
請求項３９に記載の方法であって、前記複数の基準信号中の第１の基準信号は独立したタイミングを有し、前記複数の基準信号中の第２の基準信号は前記第１の基準信号に対して固定オフセットを有し、前記基準信号のタイミングのインジケーションは、前記第１の基準信号の明示的なタイミングのインジケーションを含むが、前記第２の基準信号の明示的なタイミングのインジケーションを含まない方法。
【請求項４２】
請求項３３から４１のいずれか１項に記載の方法であって、前記制御情報は、少なくとも１つの基準信号に対する明示的な基準信号タイミングのインジケーションを含む方法。
【請求項４３】
請求項４２に記載の方法であって、前記明示的な基準信号タイミングのインジケーションは、
制御データの送信のための先頭シンボルと、
少なくともデータの送信のための先頭シンボルと、
データのみの送信のための先頭シンボルと、
制御リソース設定（ＣＯＲＥＳＥＴ）を備える先頭シンボルと、
スロット間隔における先頭シンボルと、
制御データの送信のための最終シンボルと、
少なくともデータの送信のための最終シンボルと、
データのみの送信のための最終シンボルと、
ＣＯＲＥＳＥＴを備える最終シンボルと、
スロット間隔における最終シンボルと、
のうちの１つに対する可変オフセット（ＬDMRS）を表す方法。
【請求項４４】
請求項４２に記載の方法であって、前記明示的な基準信号タイミングのインジケーションは、指示されたデータチャネル開始位置に対する可変オフセット（ＬDMRS）を表す方法。
【請求項４５】
請求項３３から４４のいずれか１項に記載の方法であって、前記第２のタイプの前記スロットは、ミニスロットである方法。
【請求項４６】
請求項４５に記載の方法であって、前記ミニスロットはスケジューリング可能なシンボル数を含み、前記スケジューリング可能なシンボル数は、スロット間隔のシンボル数未満である方法。
【請求項４７】
請求項３３から４６のいずれか１項に記載の方法であって、前記無線受信機は、ネットワークノードである方法。
【請求項４８】
請求項３３から４６のいずれか１項に記載の方法であって、前記無線受信機は無線装置である方法。
【請求項４９】
処理回路（９２０、１０２０）を含む無線受信機（１１０、１２０）であって、
スロットに関する制御情報であって、スロットタイプのインジケーションを含む、制御情報を受信し、
前記スロットタイプのインジケーションに基づいて、前記スロットが第１のタイプであるか第２のタイプであるかを判定する、
ように動作可能な処理回路（９２０、１０２０）を含み、
前記第１のタイプのスロットはスロット間隔の境界で開始し、前記第２のタイプのスロットはスロット間隔境界の間で開始して任意の長さを有するか、またはスロット間隔の境界で開始して短縮した長さを有し、
前記スロットが前記第２のタイプである場合、暗黙的または明示的な基準信号のタイミングのインジケーションが前記制御情報の一部として受信される無線受信機。
【請求項５０】
請求項４９に記載の無線受信機であって、前記スロットが前記第１のタイプのものである場合はいつでも、前記制御情報に明示的な基準信号のタイミングのインジケーションが不在であり、前記不在は、所定の基準信号のタイミングを意味する無線受信機。
【請求項５１】
請求項５０に記載の無線受信機であって、
前記所定の基準信号のタイミングは前記スロット内のシンボルであって、
制御データの送信のための先頭シンボルと、
少なくともデータの送信のための先頭シンボルと、
データのみの送信のための先頭シンボルと、
ダウンリンク制御シグナリングのためにモニタリングされるべき制御リソースセット（ＣＯＲＥＳＥＴ）を備える先頭シンボルと、
スロット間隔における先頭シンボルと、
制御データの送信のための最終シンボルと、
少なくともデータの送信のための最終シンボルと、
データのみの送信のための最終シンボルと、
ダウンリンク制御シグナリングのためにモニタリングされるべきＣＯＲＥＳＥＴを備える最終シンボルと、
スロット間隔における最終シンボルと、
のいずれかであるシンボルに対して所定のオフセットを有するシンボルである無線受信機。
【請求項５２】
請求項５０に記載の無線受信機であって、前記所定の基準信号のタイミングは、指示されたデータチャネル開始位置に対して所定のゼロまたは非ゼロオフセットを有するシンボルである無線受信機。
【請求項５３】
請求項５２に記載の無線受信機であって、前記データチャネル開始位置のインジケーションが、前記制御情報に含まれる無線受信機。
【請求項５４】
請求項４９から５３のいずれか１項に記載の無線受信機であって、前記基準信号は復調基準信号（ＤＭ−ＲＳ）を含む無線受信機。
【請求項５５】
請求項４９から５４のいずれか１項に記載の無線受信機であって、前記基準信号のタイミングのインジケーションは、複数の基準信号に関連付けられる無線受信機。
【請求項５６】
請求項５５に記載の無線受信機であって、前記複数の基準信号内の各基準信号は、独立したタイミングを有する無線受信機。
【請求項５７】
請求項５５に記載の無線受信機であって、前記複数の基準信号中の第１の基準信号は独立したタイミングを有し、前記複数の基準信号中の第２の基準信号は前記第１の基準信号に対して固定オフセットを有し、前記基準信号のタイミングのインジケーションが前記第１の基準信号の明示的なタイミングのインジケーションを含むが、前記第２の基準信号の明示的なタイミングのインジケーションを含まない無線受信機。
【請求項５８】
請求項４９から５７のいずれか１項に記載の無線受信機であって、前記制御情報は、少なくとも１つの基準信号に対する明示的な基準信号タイミングのインジケーションを含む無線受信機。
【請求項５９】
請求項５８に記載の無線受信機であって、前記明示的な基準信号タイミングのインジケーションは、
制御データの送信のための先頭シンボルと、
少なくともデータの送信のための先頭シンボルと、
データのみの送信のための先頭シンボルと、
制御リソース設定（ＣＯＲＥＳＥＴ）を備える先頭シンボルと、
スロット間隔における先頭シンボルと、
制御データの送信のための最終シンボルと、
少なくともデータの送信のための最終シンボルと、
データのみの送信のための最終シンボルと、
ＣＯＲＥＳＥＴを備える最終シンボルと、
スロット間隔における最終シンボルと、
のうちの１つに対する可変オフセット（ＬDMRS）を表す無線受信機。
【請求項６０】
請求項５８に記載の無線受信機であって、前記明示的な基準信号タイミングのインジケーションは、指示されたデータチャネル開始位置に対する可変オフセット（ＬDMRS）を表す無線受信機。
【請求項６１】
請求項４９から６０のいずれか１項に記載の無線受信機であって、前記第２のタイプの前記スロットは、ミニスロットである無線受信機。
【請求項６２】
請求項６１に記載の無線受信機であって、前記ミニスロットはスケジューリング可能なシンボル数を含み、前記スケジューリング可能なシンボル数は、スロット間隔のシンボル数未満である無線受信機。
【請求項６３】
請求項４９から６２のいずれか１項に記載の無線受信機であって、前記無線受信機は、ネットワークノードである無線受信機。
【請求項６４】
請求項４９から６２のいずれか１項に記載の無線受信機であって、前記無線受信機は無線装置である無線受信機。
【請求項６５】
信号位置決めモジュール（９５２、１０５２）および送信モジュール（９５４、１０５４）を備える無線送信機（１１０、１２０）であって、
前記信号位置決めモジュールは、スロットに関する制御情報であって、前記スロットが第１のタイプであるか第２のタイプであるかのインジケーションを含む制御情報を提供するように動作可能であり、
前記第１のタイプのスロットはスロット間隔の境界で開始し、前記第２のタイプのスロットはスロット間隔の境界の間で開始して任意の長さを有するか、またはスロット間隔の境界で開始して短縮した長さを有し、
前記制御情報は前記スロットが前記第２のタイプである場合、暗黙的または明示的な基準信号タイミングのインジケーションを含み、
前記送信モジュールは前記制御情報を無線受信機（１１０、１２０）に送信するよう動作可能である無線送信機。
【請求項６６】
信号位置決めモジュール（９５２、１０５２）および受信モジュール（９５０、１０５０）を備える無線受信機（１１０、１２０）であって、
前記受信モジュールは、スロットに関する制御情報であって、スロットタイプのインジケーションを含む、制御情報を受信するよう動作可能であり、
前記信号位置決めモジュールは、前記スロットタイプのインジケーションに基づいて、前記スロットが第１のタイプであるか第２のタイプであるかを判定するよう動作可能であり、
前記第１のタイプのスロットはスロット間隔の境界で開始し、前記第２のタイプのスロットはスロット間隔境界の間で開始して任意の長さを有するか、またはスロット間隔の境界で開始して短縮した長さを有し、
前記スロットが前記第２のタイプである場合、暗黙的または明示的な基準信号タイミングのインジケーションが前記制御情報の一部として受信される無線受信機。
【発明の詳細な説明】
【技術分野】
【０００１】
特定の実施形態は無線通信に関し、より詳細には、スロット及び／又はミニスロット内の基準信号の位置をシグナリングすることに関する。
【背景技術】
【０００２】
第３世代パートナーシッププロジェクト（３ＧＰＰ）の５Ｇ  Ｎｅｗ  Ｒａｄｉｏ（ＮＲ）は、スケーラブルなヌメロロジを用いた直交周波数分割多重（ＯＦＤＭ）に基づいている。非常に大きなセルのために、または同じキャリア上のＬｏｎｇ  Ｔｅｒｍ  Ｅｖｏｌｕｔｉｏｎ（ＬＴＥ）と狭帯域Ｉｎｔｅｒｎｅｔ−ｏｆ−Ｔｈｉｎｇｓ（ＮＢ−ＩｏＴ）との共存のために、１５ｋＨｚのサブキャリア間隔を使用することができる。３０ｋＨｚから４８０ｋＨｚまでのより高いサブキャリア間隔もサポートされる。例えば、３０ｋＨｚまたは６０ｋＨｚをより小さいセルに使用することができ、１２０ｋＨｚは、ミリ波のレンジで位相雑音を軽減するために有益である。送信は１４個のシンボルのスロットに編成され、各シンボルは遅延を最小にするための高速なハイブリッド自動再送要求（ＨＡＲＱ）フィードバックの可能性を有する。
【０００３】
超高信頼低遅延（ＵＲＬＬＣ）は高い信頼性を維持しながら、低遅延でデータを配信する必要があるアプリケーションを指す。ＮＲは、ミニスロットを使用して、低遅延および高信頼性を達成する。ミニスロットは、通常のデータ送信に典型的に使用されるスロットよりも著しく短くすることができる。緊急のデータが基地局に到達すると、ミニスロット送信は、進行中のスロットベースの送信を先取りすることができる。ミニスロットは、スロット境界を待つことなく、成功したＬｉｓｔｅｎ−Ｂｅｆｏｒｅ−Ｔａｌｋ（ＬＢＴ）手順の直後に送信を開始することを容易にするので、ミニスロットは非ライセンススペクトルにおける送信にも利益をもたらす。
【発明の概要】
【０００４】
本明細書で説明される実施形態は、スロットまたはミニスロット内の基準信号の位置をシグナリングするための方法および装置を含む。いくつかの実施形態によれば、無線通信ネットワークの無線送信機において使用するための方法は、スロットに関する制御情報を提供することを備える。制御情報は、受信ノードが可変プロパティに基づいて、スロットが第１のタイプであるか第２のタイプであるかを判定することを可能にする可変プロパティを含む。第１のタイプのスロットはスロット間隔の境界で始まり、第２のタイプのスロットは、スロット境界を含むスロット間隔の境界の間で始まる。制御情報は、スロットが第２のタイプである場合、暗黙的または明示的な基準信号のタイミングのインジケーションを含む。この方法は、制御情報を無線受信機に送信することをさらに含む。
【０００５】
特定の実施形態では明示的な基準信号のタイミングのインジケーションは、スロットが第１のタイプであるときはいつでも制御情報に不在であり、このような不在は固定又は半静的に構成された基準信号のタイミングのような所定の基準信号のタイミングを意味する。
【０００６】
特定の実施形態において、基準信号のタイミングのインジケーションはスロットの受信を支援する基準信号に関し、基準信号は、復調基準信号（ＤＭ−ＲＳ）を含んでもよい。基準信号のタイミングのインジケーションは、複数の基準信号に関連付けられてもよい。複数の基準信号における各基準信号は、独立したタイミングを有する可能性がある。複数の基準信号中の第１の基準信号は独立したタイミングを有することができ、複数の基準信号中の第２の基準信号は、第１の基準信号に対して固定されたオフセットを有することができる。基準信号のタイミングのインジケーションは、第２の基準信号ではなく第１の基準信号の明示的なタイミングのインジケーションを含むことができる。
【０００７】
特定の実施の形態では、可変プロパティは、スロットタイプに関連するパラメータの値である。パラメータは、単一ビットとして表すことができる。可変プロパティは、制御情報の任意選択のフィールドの存在を含むことができる。可変プロパティは制御情報のフォーマットであって、それぞれが第１または第２のタイプに関連付けられた２つ以上の所定のフォーマットのうちの１つであるフォーマットであってもよい。
【０００８】
特定の実施の形態では明示的な基準信号のタイミングのインジケーションが少なくとも１つの基準信号に対する制御情報に不在であり、このような不在は所定の基準信号のタイミングを意味する。所定の基準信号のタイミングはスロット内のシンボルに対する所定のオフセットを有するシンボルであり、スロット内のシンボルは、制御データの送信のための先頭シンボル、少なくともデータの送信のための先頭シンボル、データのみの送信のための先頭シンボル、ダウンリンク制御シグナリングのためにモニタリングされるべき制御リソースセット（ＣＯＲＥＳＥＴ）を備える先頭シンボル、スロット間隔内の先頭シンボル、制御データの送信のための最終シンボル、少なくともデータのみの送信のための最終シンボル、データのみの送信のための最終シンボル、ダウンリンク制御シグナリングのためにモニタリングされるべき制御リソースセット（ＣＯＲＥＳＥＴ）を備える最終シンボル、およびスロット間隔内の最終シンボルのうちの１つである。
【０００９】
特定の実施形態では、所定の基準信号タイミングはセンターシンボルである。中央シンボルは２Ｎ＋１シンボルからなるデータバーストにおける（Ｎ＋１）番目のシンボルであってもよく、ここでＮは整数であり、中央シンボルは２ＮシンボルからなるデータバーストにおけるＮ番目または（Ｎ＋１）番目のシンボルである。所定の基準信号タイミングは、指示されたデータチャネル開始位置に対して所定のゼロまたは非ゼロオフセットを有するシンボルであってもよい。
【００１０】
特定の実施の形態では、データチャネル開始位置の音字ケーションが制御情報に含まれる。所定のオフセットは、半静的に設定されてもよい。
【００１１】
特定の実施形態では、制御情報が少なくとも１つの基準信号に対する明示的な基準信号のタイミングのインジケーションを含む。明示的な基準信号のタイミングのインジケーションは、制御データの送信のための先頭シンボル、少なくともデータの送信のための先頭シンボル、データのみの送信のための先頭シンボル、ＣＯＲＥＳＥＴを備える先頭シンボル、スロット間隔における先頭シンボル、制御データの送信のための最終シンボル、少なくともデータのみの送信のための最終シンボル、ＣＯＲＥＳＥＴを備える最終シンボル、およびスロット間隔における最終シンボルのうちの１つに対する可変オフセット（ＬDMRS）を表す。明示的な基準信号のタイミングのインジケーションは、指示されたデータチャネル開始位置に対する可変オフセット（ＬDMRS）を表すことができる。データチャネル開始位置のインジケーションは、制御情報に含まれてもよい。
【００１２】
特定の実施形態では、第２のタイプのスロットはミニスロットである。ミニスロットは、スケジューリング可能なシンボル数を含んでもよい。ミニスロット内のスケジューリング可能なシンボル数は、スロット間隔のシンボル数よりも少ない値に制限され得る。
【００１３】
特定の実施形態では、第１のタイプのスロットが全長または短縮された長さを有する。第１のタイプの長さが短縮されたスロットは、ミニスロットであってもよい。
【００１４】
特定の実施の形態では、スロットがアップリンクスロット又はダウンリンクスロットである。制御情報は、ダウンリンク割り当てであってもよい。制御情報はＤＣＩであってもよい。
【００１５】
特定の実施の形態では、制御情報を無線受信機に送信することはスロットを送信することを含む。制御情報を無線受信機に送信することは、構成可能なサブキャリア間隔で動作するスペクトル上でスロットを送信することを含んでもよい。
【００１６】
特定の実施形態では、スロットは送信バーストである。スロット間隔は、送信とは無関係な、連続する時間セグメントのシーケンス内の１つであってもよい。
【００１７】
特定の実施形態では、無線送信機はｇＮＢのようなネットワークノード又はＵＥのような無線装置である。
【００１８】
いくつかの実施形態によれば、無線通信ネットワークの無線受信機において使用するための方法は、スロットに関する制御情報を受信することを備える。制御情報は、変数プロパティを含む。この方法は、可変プロパティに基づいて、スロットが第１のタイプであるか第２のタイプであるかを判定することをさらに含む。第１のタイプのスロットはスロット間隔の境界で始まり、第２のタイプのスロットは、スロット境界を含むスロット間隔の境界の間で始まる。スロットが第２のタイプのものである場合、暗黙的または明示的な基準信号のタイミングのインジケーション指示が制御情報の一部として受信される。
【００１９】
特定の実施形態では、明示的な基準信号のタイミングのインジケーションはスロットが第１のタイプであるときはいつでも制御情報に不在であり、このような不在は固定又は半静的に構成された基準信号のタイミングのような所定の基準信号のタイミングを意味する。
【００２０】
特定の実施の形態では、基準信号のタイミングのインジケーションがスロットの受信を支援する基準信号に関する。基準信号は、復調基準信号（ＤＭ−ＲＳ）を含んでもよい。基準信号のタイミングのインジケーションは、複数の基準信号に関連付けることができる。複数の基準信号における各基準信号は、独立したタイミングを有する可能性がある。複数の基準信号中の第１の基準信号は独立したタイミングを有することができ、複数の基準信号中の第２の基準信号は、第１の基準信号に対して固定されたオフセットを有することができる。基準信号のタイミングのインジケーションは、第２の基準信号ではなく第１の基準信号の明示的なタイミングのインジケーションを含んでもよい。
【００２１】
特定の実施の形態では、可変プロパティがスロットタイプに関連するパラメータの値である。パラメータは、単一ビットとして表すことができる。可変プロパティは、制御情報の任意のフィールドの存在であってもよい。可変プロパティは制御情報のフォーマットであって、それぞれが第１または第２のタイプに関連付けられた２つ以上の所定のフォーマットのうちの１つのフォーマットであってもよい。
【００２２】
特定の実施形態では、明示的な基準信号のタイミングのインジケーションが少なくとも１つの基準信号に対する制御情報に不在であり、このような不在は所定の基準信号のタイミングを意味する。所定の基準信号のタイミングはスロット内のシンボルに対する所定のオフセットを有するシンボルであってもよく、そのシンボルは制御データの送信のための先頭シンボル、少なくともデータの送信のための先頭シンボル、データのみの送信のための先頭シンボル、ダウンリンク制御シグナリングのためにモニタリングされるべき制御リソースセット（ＣＯＲＥＳＥＴ）を備える先頭シンボル、スロット間隔内の先頭シンボル、制御データの送信のための最終シンボル、少なくともデータのみの送信のための最終シンボル、データのみの送信のための最終シンボル、ダウンリンク制御シグナリングのためにモニタリングされるべき制御リソースセット（ＣＯＲＥＳＥＴ）を備える最終シンボル、およびスロット間隔内の最終シンボルのうちの１つであってもよい。
【００２３】
特定の実施形態では、所定の基準信号のタイミングはセンターシンボルである。センターシンボルは２Ｎ＋１シンボルからなるデータバーストにおける（Ｎ＋１）番目のシンボルであってもよく、ここでＮは整数であり、センターシンボルは２ＮシンボルからなるデータバーストにおけるＮ番目または（Ｎ＋１）番目のシンボルである。所定の基準信号のタイミングは、指示されたデータチャネル開始位置に対して所定のゼロまたは非ゼロオフセットを有するシンボルであってもよい。データチャネル開始位置のインジケーションは、制御情報に含まれてもよい。所定のオフセットは、半静的に構成されてもよい。
【００２４】
特定の実施形態では、制御情報が少なくとも１つの基準信号に対する明示的な基準信号のタイミングのインジケーションを含む。明示的な基準信号のタイミングのインジケーションは、制御データの送信のための先頭シンボル、少なくともデータの送信のための先頭シンボル、データのみの送信のための先頭シンボル、ＣＯＲＥＳＥＴを備える先頭シンボル、スロット間隔における先頭シンボル、制御データの送信のための最終シンボル、少なくともデータのみの送信のための最終シンボル、ＣＯＲＥＳＥＴを備える最終シンボル、およびスロット間隔における最終シンボルのうちの１つに対する可変オフセット（ＬDMRS）を表す。
【００２５】
特定の実施形態では、明示的な基準信号のタイミングのインジケーションは、指示されたデータチャネル開始位置に対する可変オフセット（ＬDMRS）を表す。データチャネル開始位置のインジケーションは、制御情報に含まれてもよい。
【００２６】
特定の実施形態では、第２のタイプのスロットはミニスロットである。ミニスロットは、スケジューリング可能なシンボル数を含むことができる。ミニスロット内のスケジューリング可能なシンボル数は、スロットのシンボル数未満の値に制限され得る。第１のタイプのスロットは全長を有していてもよいし、短縮された長さを有していてもよい。第１のタイプの長さが短縮されたスロットは、ミニスロットであってもよい。
【００２７】
特定の実施形態では、スロットがアップリンクスロット又はダウンリンクスロットである。
【００２８】
特定の実施形態では、制御情報はダウンリンク割り当てである。制御情報はＤＣＩであってもよい。
【００２９】
特定の実施形態では、制御情報を受信することはスロットを受信することを含む。制御情報を受信することは、構成可能なサブキャリア間隔で動作するスペクトル上でスロットを受信することを含んでもよい。
【００３０】
特定の実施形態では、スロットは送信バーストである。スロット間隔は送信とは無関係に、連続する時間セグメントのシーケンス内の１つであってもよい。
【００３１】
特定の実施形態では、無線受信機はｇＮＢのようなネットワークノードであり、又は無線受信機はＵＥのような無線装置である。
【００３２】
特定の実施形態は、少なくとも１つのプログラマブルプロセッサに上述の実施形態のいずれかの方法を実行させるためのコンピュータ可読命令を含むコンピュータプログラムを含む。いくつかの実施形態は、コンピュータプログラムを記憶するコンピュータ可読媒体を含む。
【図面の簡単な説明】
【００３３】
実施形態、並びにそれらの特徴および利点をより完全に理解するために、添付の図面と併せて以下の説明が参照される。
【図１】特定の実施形態による、例示的な無線ネットワークを示すブロック図である。
【図２】いくつかの実施形態に係る、基準信号の位置を示す情報を有する物理ダウンリンク制御チャネルを有する制御リソースセットの様々な例を示す。
【図３】いくつかの実施形態に係る、基準信号の位置を示す情報を有する物理ダウンリンク制御チャネルを有する制御リソースセットの様々な例を示す。
【図４】いくつかの実施形態に係る、基準信号の位置を示す情報を有する物理ダウンリンク制御チャネルを有する制御リソースセットの様々な例を示す。
【図５】いくつかの実施形態に係る、基準信号の位置を示す情報を有する物理ダウンリンク制御チャネルを有する制御リソースセットの様々な例を示す。
【図６】いくつかの実施形態に係る、基準信号の位置を示す情報を有する物理ダウンリンク制御チャネルを有する制御リソースセットの様々な例を示す。
【図７】特定の実施形態に係る、無線送信機における例示的な方法を示すフロー図である。
【図８】特定の実施形態に係る、無線受信機における例示的な方法を示すフロー図である。
【図９Ａ】無線装置の例示的な実施形態を示すブロック図である。
【図９Ｂ】無線装置の例示的な構成要素を示すブロック図である。
【図１０Ａ】ネットワークノードの例示的な実施形態を示すブロック図である。
【図１０Ｂ】ネットワークノードの例示的な構成要素を示すブロック図である。
【発明を実施するための形態】
【００３４】
第３世代パートナーシッププロジェクト（３ＧＰＰ）５Ｇ  Ｎｅｗ  Ｒａｄｉｏ（ＮＲ）は、スケーラブルなヌメロロジを用いた直交周波数分割多重（ＯＦＤＭ）に基づいている。ＮＲの送信構造は、スロットおよびミニスロットを含む。本明細書で説明される実施形態は、スロットまたはミニスロット内の基準信号の位置をシグナリングするための方法および装置を含む。
【００３５】
特定の実施形態は、３８シリーズで公開された、または公開される３ＧＰＰの技術仕様に従って、３ＧＰＰ  ＮＲインターフェースのコンテキストで実施されてもよい。しかしながら、ＮＲの用語の一部はまだ開発中であるので、本開示において必要な場合、ＬＴＥが起源の用語を使用することができる。そのようなＬＴＥが起源の用語はそれらがＮＲに適用され得るように、フォワードルッキングなやり方で使用される。
【００３６】
以下の説明は、多数の特定の詳細を記載する。しかしながら、実施形態は、これらの特定の詳細なしに実施されてもよいことが理解される。他の例では、本開示の理解を不明瞭にしないために、周知の回路、構造、および技術は詳細には示されない。当業者は、含まれる説明を用いて、過度の実験なしに適切な機能を実施することができるであろう。
【００３７】
本明細書における「一実施形態」、「実施形態」、「例示的な実施形態」などへの言及は記載された実施形態が特定の特徴、構造、または特性を含むことができることを示すが、すべての実施形態が必ずしも特定の特徴、構造、または性質を含むわけではない。さらに、そのような語句は、必ずしも同じ実施形態を参照しているわけではない。さらに、特定の特徴、構造、または性質が実施形態に関連して記載される場合、明示的に記載されているか否かにかかわらず、他の実施形態に関連してそのような特徴、構造、または性質を実施することは、当業者の知識の範囲内であることが提示される。
【００３８】
特定の実施形態は図面の図１〜図１０Ｂを参照して説明され、同様の数字は様々な図面の同様の部分および対応する部分に使用される。ＬＴＥおよびＮＲは例示的なセルラシステムとして本開示全体にわたって使用されるが、本明細書で提示されるアイデアは他の無線通信システムにも同様に適用することができる。
【００３９】
図１は、特定の実施形態による、例示的な無線ネットワークを示すブロック図である。無線ネットワーク１００は、１つ以上の無線装置１１０（モバイル電話、スマートフォン、ラップトップコンピュータ、タブレットコンピュータ、ＭＴＣ装置、Ｖ２Ｘ装置、または無線通信を提供することができる任意の他の装置など）と、複数のネットワークノード１２０（基地局、ｅＮｏｄｅＢ、またはｇＮｏｄｅＢなど）とを含む。無線装置１１０は、ＵＥとも呼ばれ得る。ネットワークノード１２０は、カバレッジエリア１１５（セル１１５とも呼ばれる）にサービスを提供する。
【００４０】
一般に、ネットワークノード１２０のカバレッジ内（例えば、ネットワークノード１２０によってサービスを提供されるセル１１５内）にある無線装置１１０は、無線信号１３０を送受信することによってネットワークノード１２０と通信する。例えば、無線装置１１０およびネットワークノード１２０は、音声トラフィック、データトラフィック、および／または制御信号を含む無線信号１３０を通信し得る。
【００４１】
音声トラフィック、データトラフィック、および／または制御信号を無線装置１１０に通信するネットワークノード１２０は、無線装置１１０のためのサービングネットワークノード１２０と呼ばれ得る。無線装置１１０とネットワークノード１２０との間の通信は、セルラ通信と呼ばれ得る。無線信号１３０は、（ネットワークノード１２０から無線装置１１０への）ダウンリンク送信と（無線装置１１０からネットワークノード１２０への）アップリンク送信との両方を含むことができる。ＬＴＥでは、ネットワークノード１２０と無線装置１１０との間で無線信号を通信するためのインターフェースがＵｕインターフェースと呼ばれ得る。
【００４２】
各ネットワークノード１２０は、信号１３０を無線装置１１０に送信するための単一の送信器または複数の送信器を有することができる。いくつかの実施形態では、ネットワークノード１２０が多入力多出力（ＭＩＭＯ）システムを備えることができる。無線信号１３０は、１つ以上のビームを備えることができる。特定のビームは、特定の方向にビームフォーミングされてもよい。同様に、各無線装置１１０は、ネットワークノード１２０または他の無線装置１１０から信号１３０を受信するための単一の受信器または複数の受信器を有し得る。無線装置は、無線信号１３０を備える１つ以上のビームを受信することができる。
【００４３】
無線装置１１０は無線信号１４０を送受信することによって、互いに通信することができる（すなわち、Ｄ２Ｄ動作）。例えば、無線装置１１０ａは、無線信号１４０を使用して無線装置１１０ｂと通信することができる。無線信号１４０はサイドリンク１４０とも呼ばれる。２つの無線装置１１０間の通信は、Ｄ２Ｄ通信またはサイドリンク通信と呼ばれてもよい。ＬＴＥでは、無線装置１１０間で無線信号１４０を通信するためのインターフェースがＰＣ５インターフェースと呼ばれてもよい。
【００４４】
ネットワークノード１２０は、バックホールネットワークを介してコアネットワークに接続されてもよい。バックホールネットワークは有線ネットワーク（例えば、銅、光ファイバなど）、または無線リレーまたは無線メッシュネットワークなどの無線バックホールを備えうる。
【００４５】
無線信号１３０および１４０は、時間−周波数リソース上で送信されてもよい。時間−周波数リソースは、無線フレーム、サブフレーム、スロット、および／またはミニスロットに分割されてもよい。データは、パーティションに基づいて送信のためにスケジュールされてもよい。例えば、データ送信は、サブフレーム、スロット、またはミニスロットに基づいてスケジュールされてもよい。無線信号１３０は、復調基準信号（ＤＭ−ＲＳ）のような基準信号を含んでもよい。
【００４６】
ネットワークノード１２０は、スロットまたはミニスロット内の基準信号の位置を無線装置１１０にシグナリングしてもよい。同様に、無線装置１１０は、スロットまたはミニスロット内の基準信号の位置をネットワークノード１２０にシグナリングしてもよい。スロットまたはミニスロット内の基準信号の位置をシグナリングする例は、図２〜８に関してより詳細に説明される。
【００４７】
無線装置１１０、ネットワークノード１２０、または無線信号を送信するネットワーク１００の任意の他の構成要素は、無線送信機と呼ばれてもよい。無線装置１１０、ネットワークノード１２０、または無線信号を受信するネットワーク１００の任意の他の構成要素は、無線受信機と呼ばれてもよい。
【００４８】
無線装置１１０は、１つ以上の制御リソースセット（ＣＯＲＥＳＥＴ）内のダウンリンク制御シグナリングを監視する。制御リソースセットは、連続または非連続物理リソースブロック（ＰＲＢ）のセットを含む（ＬＴＥ  ＰＲＢは、周波数領域で１２本のサブキャリアと、時間領域で７個のシンボルとを含む）。ＣＯＲＥＳＥＴは、１つ以上のシンボルに及んでもよい。制御リソースセットは、スロットまたはミニスロットの始めに位置する。物理ダウンリンク制御チャネル（ＰＤＣＣＨ）は、１つの制御リソースセットに限定され、１つ以上のシンボル長であってもよい。ＰＤＣＣＨは、ＰＤＣＣＨ制御リソースセット内でローカライズされるか、または分散されることができる。ＰＤＣＣＨは、データと多重化された時間および周波数であってもよい。
【００４９】
シンボルは（一般に、ダウンリンクまたはアップリンクにおいて）サイクリックプレフィックスを有するＯＦＤＭシンボルを指すことができる。シンボルは、サイクリックプレフィックス（一般にアップリンク）を含むＤＦＴ−ｓ−ＯＦＤＭシンボルを指してもよい。
【００５０】
１ｍｓ続くＬＴＥサブフレームは、ノーマルサイクリックプレフィックス（ＣＰ）のための１４個のシンボルを含む。ＮＲサブフレームは１ｍｓの固定持続時間を有し、したがって、異なるサブキャリア間隔のための異なる数のシンボルを含んでもよい。
【００５１】
ＬＴＥスロットは、ノーマルＣＰのための７個のシンボルに対応する。ＮＲスロットは、７個または１４個のシンボルに対応する。１５ｋＨｚのサブキャリア間隔では、７個のシンボルを有するスロットは０．５ｍｓを占める。
【００５２】
ＮＲミニスロットはスロットの特別な場合と見なされてもよく、わずか１つのシンボルを含んでもよい。スロットは特に、通信ネットワークのノードから送信される、またはノードによって受信される送信バーストを指してもよい。送信バーストは、各々における送信を伴うシンボルの中断されないシーケンスであってもよい。本開示では、スロット間隔は、送信が任意選択で行われうる時間セグメントを意味する。通信ネットワーク内のノードの中で、特に、共通の時間基準を有するノードの中で、または同期が行われているノードの中で、時間は、連続するスロット間隔のシーケンスにセグメント化されていると見なされてもよい。上述のように、スロット間隔の長さ、したがって、スロット間隔への時間のセグメント化の細かさは、サブキャリア間隔の関数とすることができる。
【００５３】
無線ネットワーク１００では、各ネットワークノード１２０がロングタームエボリューション（ＬＴＥ）、５Ｇ  ＮＲ、ＬＴＥ−Ａｄｖａｎｃｅｄ、ＵＭＴＳ、ＨＳＰＡ、ＧＳＭ（登録商標）、ｃｄｍａ２０００、ＮＲ、ＷｉＭａｘ、ＷｉＦｉ、および／または他の適切な無線アクセス技術など、任意の適切な無線アクセス技術を使用することができる。無線ネットワーク１００は、１つ以上の無線アクセス技術の任意の適切な組合せを含むことができる。例示のために、様々な実施形態が、ある無線アクセス技術のコンテキスト内で説明され得る。しかしながら、本開示の範囲は例に限定されず、他の実施形態は異なる無線アクセス技術を使用することができる。
【００５４】
上述のように、無線ネットワークの実施形態は、１つ以上の無線装置と、無線装置と通信可能な１つ以上の異なるタイプの無線ネットワークノードとを含むことができる。ネットワークはまた、無線装置間の通信、または無線装置と別の通信装置（固定電話など）との間の通信をサポートするのに適した任意の追加の要素を含むことができる。無線装置は、ハードウェアおよび／またはソフトウェアの任意の適切な組み合わせを含み得る。例えば、特定の実施形態では、無線装置１１０のような無線装置が以下の図９Ａに関して説明されるコンポーネントを含む。同様に、ネットワークノードは、ハードウェアおよび／またはソフトウェアの任意の適切な組合せを含むことができる。例えば、特定の実施の形態では、ネットワークノード１２０のようなネットワークノードが以下の図１０Ａに関して説明されるコンポーネントを含む。
【００５５】
特定の実施形態では、ＰＤＣＣＨモニタリングの機会が構成される。各モニタリングの機会は、ＰＤＣＣＨ候補を見つけることができる１つ以上のＣＯＲＥＳＥＴに関連付けられる。いくつかの実施形態は、スロット毎に１つのモニタリングの機会を含む。
【００５６】
ＰＤＣＣＨは、Ｌstartと呼ばれるスケジューリングされた送信バーストの始まりを指している。伝送バーストは、データ伝送および関連するＤＭ−ＲＳを参照してもよい。
【００５７】
ＬDMRSと呼ばれるＤＭ−ＲＳの位置は、様々な方法で指定されうる。ＤＭ−ＲＳの位置はＰＤＣＣＨの中で見出されるＬstart（すなわち、データバーストに対して）に従って動的に指定されうる。いくつかの実施形態において、ＤＭ−ＲＳの位置は、ＣＯＲＥＳＥＴまたはスロット間隔の境界からのオフセットとして準静的に指定されてもよい。
【００５８】
いくつかの実施形態では、ＰＤＣＣＨ内のビットは、ＬDMRSを決定するためにどの代替を使用するかを示す。いくつかの実施形態は、ＰＤＣＣＨ内のシグナリングビットに依存することなく、ＰＤＣＣＨが見つかったＣＯＲＥＳＥＴに基づいてＬDMRSを決定してもよい。
【００５９】
図２〜図６は、いくつかの実施形態による、基準信号の位置を示す情報を有する物理ダウンリンク制御チャネルを有する制御リソースセットの様々な例を示す。図２〜６の各々は、１４個のシンボルを示す。いくつかの実施形態では、シンボルがＯＦＤＭシンボル、ＤＦＴ−ＯＦＤＭシンボル、または任意の他の適切なシンボルを備えることができる。特定の実施形態は、７個のシンボルのような異なる数のシンボル、又は任意の他の適切な数のシンボルを含むことができる。
【００６０】
図２は、２つのＣＯＲＥＳＥＴ（シンボル１および２）を示す。各ＣＯＲＥＳＥＴは、１つのシンボルを含む。シンボル３は制御データ（ＤＭＲＳ）を含み、シンボル４〜１４はデータを含む。シンボル２のＣＯＲＥＳＥＴは、ＰＤＣＣＨを含む。ＰＤＣＣＨは、シグナリング情報を含むことができる。シグナル伝達情報は、ＬstartがＣＯＲＥＳＥＴから１のシンボルオフセット（すなわちシンボル３）であることを示すことがある。ＬDMRSはＣＯＲＥＳＥＴに基づいて決定され得る。
【００６１】
図３は、２つのシンボル（シンボル１および２）を含む１つのＣＯＲＥＳＥＴを示す。シンボル３は制御データ（ＤＭＲＳ）を含み、シンボル４〜１４はデータを含む。シンボル１および２におけるＣＯＲＥＳＥＴは、ＰＤＣＣＨを含む。ＰＤＣＣＨは、シグナリング情報を含むことができる。シグナル伝達情報はＬstartがＣＯＲＥＳＥＴの始まりから相殺された２つのシンボル（すなわち、シンボル１）であることを示すことがある。ＬDMRSはＣＯＲＥＳＥＴに基づいて決定され得る。
【００６２】
図４は、２つのＣＯＲＥＳＥＴ（シンボル１および２）を示す。各ＣＯＲＥＳＥＴは、１つのシンボルを含む。シンボル３は制御データ（ＤＭＲＳ）を含み、シンボル１、２および４〜１４はデータを含む。シンボル１のＣＯＲＥＳＥＴは、ＰＤＣＣＨを含む。ＰＤＣＣＨは、シグナリング情報を含むことができる。シグナル伝達情報はＬstartがＣＯＲＥＳＥＴからオフセットされた０のシンボル（すなわち、シンボル１）であることを示してもよい。ＬDMRSはＣＯＲＥＳＥＴに基づいて決定されうる。
【００６３】
図５は、１つのコアセット（シンボル５）を示す。ＣＯＲＥＳＥＴは、１つのシンボルを含む。シンボル６は制御データ（ＤＭＲＳ）を含み、シンボル７及び８はデータを含む。シンボル５のＣＯＲＥＳＥＴは、ＰＤＣＣＨを含む。ＰＤＣＣＨは、シグナリング情報を含むことができる。シグナル伝達情報は、ＬstartがＣＯＲＥＳＥＴから１のシンボルオフセット（すなわちシンボル６）であることを示してもよい。ＬDMRSはＬstartに基づいて決定されうる。
【００６４】
いくつかの実施形態は、物理ダウンリンク共有チャネル（ＰＤＳＣＨ）内に２つ以上のＤＭＲＳを含むことができる。第２または追加のＤＭＲＳの位置は、第１のＤＭＲＳと共に導出されてもよい。第１のＤＭＲＳは送信の始まりの近くに位置することができ、第２のＤＭＲＳは、送信の中ごろに位置することができる。いくつかの実施形態は送信の中ごろを計算し、そこにＤＭＲＳを配置してもよい。いくつかの実施形態は、第１のＤＭＲＳ位置に対する第２のＤＭＲＳのＤＭＲＳ位置を固定することができる。いくつかの実施形態は、送信の終わりに対して第２のＤＭＲＳのＤＭＲＳ位置を固定することができる。これらの実施形態は、ＬstartとＬDMRSが異なっている場合に有利である。
【００６５】
図６は、１つのコアセット（シンボル１）を示す。ＣＯＲＥＳＥＴは、１つのシンボルを含む。シンボル２および６は制御データ（ＤＭＲＳ）を含み、シンボル３および７はデータを含む。シンボル１のＣＯＲＥＳＥＴは、ＰＤＣＣＨを含む。ＰＤＣＣＨは、シグナリング情報を含むことができる。シグナリング情報は、ＬstartがＣＯＲＥＳＥＴからの１シンボルオフセット（すなわちシンボル２）であることを示してもよい。ＬＤＭＲＳはＬstartに基づいて決定されうる。シンボル６および７における第２の送信は、シンボル２および３における第１の送信に対して決定されてもよい。
【００６６】
いくつかの実施形態は異なるユーザ装置（ＵＥ）をマルチユーザの多入力多出力（ＭＵ−ＭＩＭＯ）によって多重してもよく、それらは送信の同じ開始位置を有してもよい。ダウンリンクの場合、ＤＭＲＳとデータとの間にギャップが存在しうる。ＵＥにおける電力調整（ＰＡ）はギャップのために適切に機能しないことがあるので、アップリンクはギャップを含まないことがある。いくつかの実施形態は単一のＯＦＤＭシンボルＣＯＲＥＳＥＴを有するＵＥを含むことができ、送信はそのＣＯＲＥＳＥＴが第２のシンボルで終了し、データが第３のシンボルで終了するＵＥと多重化された第２のＯＦＤＭシンボルで開始する。したがって、第１のＵＥは、第３のＯＦＤＭシンボル内にそのＤＭＲＳを有することができる。ＤＭＲＳ位置はオフセットされてもよい。
【００６７】
上述の例および実施形態は、図７および図８のフローチャートによって一般化することができる。
【００６８】
図７は、いくつかの実施形態による、無線送信機における例示的な方法を示すフロー図である。特定の実施形態では、図７の１以上のステップが図１に関して説明したネットワーク１００のネットワーク要素（例えば、無線装置１１０、ネットワークノード１２０等）により実行される。
【００６９】
この方法はステップ７１２で始まり、無線送信機は、スロットが第１のタイプであるか第２のタイプであるかを示すスロットに関する制御情報を提供する。制御情報は、受信ノードが可変プロパティに基づいて、スロットが第１のタイプであるか第２のタイプであるかを判定することを可能にする可変プロパティを含む。第１のタイプのスロットはスロット間隔境界で始まり、第２のタイプのスロットはスロット間隔境界（スロット境界を含む）の間で始まる。制御情報は、スロットが第２のタイプである場合、暗黙的または明示的な基準信号タイミング指示を含む。例えば、ネットワークノード１２０は、スロットが第１のタイプであるか、または第２のタイプであるかを示すスロットに関する制御情報を、図２〜図６に関して説明したものなどの、上述した例または実施形態のいずれかに従って、無線装置１１０に提供することができる。
【００７０】
いくつかの実施形態では、可変プロパティは、ＰＤＣＣＨ内のビット、ＰＤＣＣＨ内の探索空間、ＰＤＣＣＨ  ＣＲＣのスクランブリング、ＰＤＣＣＨが送信されるＣＯＲＥＳＥＴなどを含んでもよい。
【００７１】
ステップ７１４において、無線送信機は、制御情報を無線受信機に送信する。例えば、ネットワークノード１２０は、制御情報をＰＤＣＣＨで無線装置１１０に送信することができる。無線送信機は、図２〜６に関して説明されたものなど、上述された例または実施形態のいずれかに従って制御情報を送信することができる。
【００７２】
変更、追加、または省略が図７の方法７００になされてもよい。さらに、図７の方法における１つ以上のステップは、並行して、または任意の適切な順序で実行されてもよい。これらのステップは、必要に応じて経時的に繰り返されてもよい。
【００７３】
図８は、いくつかの実施形態による、無線受信機における例示的な方法を示すフロー図である。特定の実施の形態では、図８の１以上のステップが図１に関して説明したネットワーク１００のネットワーク要素（例えば、無線装置１１０、ネットワークノード１２０等）により実行される。
【００７４】
この方法はステップ８１２で始まり、無線受信機は、スロットに関する制御情報を受信する。制御情報は、変数プロパティを含む。例えば、無線装置１１０は、図２〜図６に関して説明されたものなど、上述された例または実施形態のうちのいずれかに従って、ＰＤＣＣＨ中の制御情報をネットワークノード１２０から受信してもよい。
【００７５】
ステップ８１４において、無線受信機は、可変プロパティに基づいて、スロットが第１のタイプであるか第２のタイプであるかを判定する。第１のタイプのスロットはスロット間隔境界で始まり、第２のタイプのスロットはスロット間隔境界（スロット境界を含む）の間で始まる。スロットが第２のタイプのものである場合、暗黙的または明示的な基準信号タイミング指示が制御情報の一部として受信される。例えば、無線装置１１０は、図２〜６に関して説明されたような、上述された例または実施形態のうちのいずれかに従って、スロットが第１のタイプであるか、または第２のタイプであるかを決定してもよい。
【００７６】
変更、追加、または省略が図８の方法８００になされてもよい。さらに、図８の方法における１つ以上のステップは、並行して、または任意の適切な順序で実行され得る。これらのステップは、必要に応じて経時的に繰り返すことができる。
【００７７】
図９Ａは、無線装置の例示的な実施形態を示すブロック図である。無線装置は、図１に示される無線装置１１０の一例である。特定の実施形態では、無線装置がスロットタイプ（例えば、上述したような第１のタイプまたは第２のタイプ）および／または上述した例および実施形態のいずれかによるスロットまたはミニスロットにおける基準信号の位置を示すシグナリング情報を提供および／または受信することができる。
【００７８】
無線装置の特定の例は携帯電話、スマートフォン、ＰＤＡ(パーソナルデジタルアシスタント）、ポータブルコンピュータ（例えば、ラップトップ、タブレット）、センサ、アクチュエータ、モデム、マシンタイプ通信（ＭＴＣ）装置／マシンツーマシン（Ｍ２Ｍ）装置、ラップトップ埋め込み機器（ＬＥＥ）、ラップトップマウント機器（ＬＭＥ）、ＵＳＢドングル、デバイスツーデバイス対応装置、車両ツー車両装置、または無線通信を提供することができる任意の他の装置を含む。無線装置は、トランシーバ９１０と、処理回路９２０と、メモリ９３０と、電源９４０とを含む。幾つかの実施形態ではトランシーバ９１０が無線ネットワークノード１２０への無線信号の送信及び無線信号の受信を容易にし（例えばアンテナを介して）、処理回路９２０は無線装置によって提供されるように説明される機能の一部又は全部を提供する指示を実行し、メモリ９３０は処理回路９２０によって実行された指示を保存する。電源９４０は、トランシーバ９１０、処理回路９２０、および／またはメモリ９３０など、無線装置１１０の構成要素のうちの１つ以上に電力を供給する。
【００７９】
処理回路９２０は無線装置の説明された機能のいくつかまたはすべてを実行するために、命令を実行し、データを操作するために、１つ以上の集積回路またはモジュールにおいて実装されたハードウェアおよびソフトウェアの任意の適切な組合せを含む。いくつかの実施形態では、処理回路９２０が例えば、１つ以上のコンピュータ、１つ以上のプログラマブルロジックデバイス、１つ以上の中央処理装置（ＣＰＵ）、１つ以上のマイクロプロセッサ、１つ以上のアプリケーション、および／または他の論理、および／または前述のもの任意の適切な組合せを含むことができる。処理回路９２０は、無線装置１１０の説明された機能の一部またはすべてを実行するように構成されたアナログおよび／またはデジタル回路を含み得る。例えば、処理回路９２０は、抵抗器、キャパシタ、インダクタ、トランジスタ、ダイオード、および／または任意の他の適切な回路コンポーネントを含んでもよい。
【００８０】
メモリ９３０は一般に、コンピュータ実行可能なコードおよびデータを格納するように動作可能である。メモリ９３０の例はコンピュータメモリ（例えば、ランダムアクセスメモリ（ＲＡＭ）またはリードオンリメモリ（ＲＯＭ））、大容量記憶媒体（例えば、ハードディスク）、リムーバブル記憶媒体（例えば、コンパクトディスク（ＣＤ）またはデジタルビデオディスク（ＤＶＤ））、および／または情報を記憶する任意の他の揮発性または不揮発性の、一時的でないコンピュータ可読および／またはコンピュータ実行可能メモリ装置を含む。
【００８１】
電源９４０は一般に、無線装置１１０の構成要素に電力を供給するように動作可能である。電源９４０は、リチウムイオン、リチウム空気、リチウムポリマー、ニッケルカドミウム、ニッケル金属水素化物、または無線装置に電力を供給するための任意の他の適切なタイプのバッテリなど、任意の適切なタイプのバッテリを含んでもよい。
【００８２】
無線装置の他の実施形態は、上述の機能性のうちのいずれか、および／または（上述のソリューションをサポートするために必要な任意の機能性を含む）任意の追加の機能性を含む、無線装置の機能性のある態様を提供する責任を負う追加のコンポーネント（図９Ａに示されるコンポーネントを超える）を含んでもよい。
【００８３】
図９Ｂは、無線装置１１０の例示的な構成要素を示すブロック図である。構成要素は、受信モジュール９５０、信号位置決めモジュール９５２、および送信モジュール９５４を含むことができる。
【００８４】
受信モジュール９５０は、無線装置１１０の受信機能を実行することができる。例えば、受信モジュール９５０はスロットに関する制御情報を受信することができ、上述の例および実施形態のいずれかに従って、可変プロパティを含むことができる。特定の実施形態では、受信モジュール９５０が処理回路９２０を含み、または含むことができる。特定の実施形態では、受信モジュール９５０が信号位置決めモジュール９５２及び送信モジュール９５４と通信する。
【００８５】
信号位置決めモジュール９５２は、無線装置１１０の信号位置決め機能を実行することができる。例えば、無線受信機として、信号位置決めモジュール９５２は、可変プロパティに基づいて、スロットが上記の例および実施形態のいずれかに従って、第１のタイプであるか、または第２のタイプであるかを決定してもよい。無線送信機として、信号位置決めモジュール９５２は、上記の例および実施形態のいずれかに従って、送信が第１のタイプであるか第２のタイプであるかを示す可変プロパティを送信に含めてもよい。特定の実施形態において、信号配置部９５２は、処理回路９２０を含む、または含むことができる。特定の実施の形態では、信号位置決めモジュール９５２が受信モジュール９５０及び送信モジュール９５４と通信してもよい。
【００８６】
送信モジュール９５４は、無線装置１１０の送信機能を実行することができる。例えば、送信モジュール９５４は、スロットが第２のタイプの第１のものであるかどうかを示すスロットに関する制御情報を送信することができる。送信モジュール９５４は、制御データおよびユーザデータを送信することができる。送信モジュール９５４は、上記の例および実施形態のいずれかに従って送信することができる。特定の実施形態では、送信モジュール９５４が処理回路９２０を含み、または含むことができる。特定の実施形態では、送信モジュール９５４が受信モジュール９５０及び信号位置決めモジュール９５２と通信してもよい。
【００８７】
図１０Ａは、ネットワークノードの例示的な実施形態を示すブロック図である。ネットワークノードは、図１に示すネットワークノード１２０の一例である。特定の実施形態では、ネットワークノードがスロットタイプ（例えば、上述の第１又は第２のタイプ）及び／又は上述の例及び実施形態のいずれかによるスロット又はミニスロットにおける基準信号の位置を示すシグナリング情報を提供可能及び／又は受信可能である。
【００８８】
ネットワークノード１２０はｅＮｏｄｅＢ、ｇＮｏｄｅＢ、ノードＢ、基地局、無線アクセスポイント（例えば、Ｗｉ−Ｆｉアクセスポイント）、低電力ノード、基地送受信局（ＢＴＳ）、送信ポイントまたはノード、遠隔ＲＦユニット（ＲＲＵ）、遠隔無線ヘッド（ＲＲＨ）、または他の無線アクセスノードであり得る。ネットワークノードは、少なくとも１つのトランシーバ１０１０と、少なくとも１つの処理回路１０２０と、少なくとも１つのメモリ１０３０と、少なくとも１つのネットワークインタフェース１０４０とを含む。トランシーバ１０１０は（例えば、アンテナを介して）無線装置１１０のような無線装置への無線信号の送信および無線装置からの無線信号の受信を容易にし、処理回路１０２０はネットワークノード１２０によって提供されるものとして上述した機能のいくつかまたはすべてを提供するための命令を実行し、メモリ１０３０は処理回路１０２０によって実行される命令を保存し、ネットワークインタフェース１０４０は、ゲートウェイ、スイッチ、ルータ、インターネット、公衆交換電話網（ＰＳＴＮ）、コントローラ、および／または他のネットワークノード１２０のようなバックエンドネットワークコンポーネントに信号を通信する。処理回路１０２０およびメモリ１０３０は、上記の図９Ａの処理回路９２０およびメモリ９３０に関して説明したものと同じタイプのものとすることができる。
【００８９】
いくつかの実施形態では、ネットワークインタフェース１０４０が処理回路１０２０に通信可能に結合され、ネットワークノード１２０の入力を受信し、ネットワークノード１２０から出力を送信し、入力または出力またはその両方の適切な処理を実行し、他の装置と通信し、あるいはこれらの任意の組合せを行うように動作可能な任意の適切な装置を指す。ネットワークインタフェース１０４０は、ネットワークを経由して通信するための、プロトコル変換およびデータ処理能力を含む、適切なハードウェア（例えば、ポート、モデム、ネットワークインタフェースカードなど）およびソフトウェアを含む。
【００９０】
ネットワークノード１２０の他の実施形態は、上述の機能性のいずれか、および／または任意の追加の機能性（上述の解決策をサポートするために必要な任意の機能性を含む）を含む、ネットワークノードの機能性の特定の態様を提供する責任を負う追加の構成要素（図１０Ａに示される構成要素を超える）を含む。様々な異なるタイプのネットワークノードは同じ物理ハードウェアを有するが、異なる無線アクセス技術をサポートするように（例えば、プログラムを介して）構成されたコンポーネントを含むことができ、または部分的にまたは完全に異なる物理コンポーネントを表してもよい。
【００９１】
図１０Ｂは、ネットワークノード１２０の例示的な構成要素を示すブロック図である。構成要素は、受信モジュール１０５０、信号位置決めモジュール１０５２、および送信モジュール１０５４を含むことができる。
【００９２】
受信モジュール１０５０は、ネットワークノード１２０の受信機能を実行することができる。例えば、受信モジュール１０５０はスロットに関する制御情報を受信することができ、上述の例および実施形態のいずれかに従って、可変プロパティを含んでもよい。特定の実施形態では、受信モジュール１０５０が処理回路１０２０を含み、または含むことができる。特定の実施形態では、受信モジュール１０５０が信号位置決めモジュール１０５２及び送信モジュール１０５４と通信してもよい。
【００９３】
信号位置決めモジュール１０５２は、ネットワークノード１２０の信号位置決め機能を実行することができる。例えば、無線受信機として、信号位置決めモジュール１０５２は、可変プロパティに基づいて、スロットが上記の例および実施形態のいずれかに従って、第１のタイプであるか、または第２のタイプであるかを決定し得る。無線送信機として、信号位置決めモジュール１０５２は送信が第１のタイプであるか第２のタイプであるかを判定し、送信が第１のタイプであるか第２のタイプであるかを示す変数プロパティを、上記の例および実施形態のいずれかに従って送信に含めることができる。特定の実施形態において、信号位置決め部１０５２は、処理回路１０２０を含む、または処理回路１０２０に含められてもよい。特定の実施形態では、信号位置決めモジュール１０５２が受信モジュール１０５０及び送信モジュール１０５４と通信してもよい。
【００９４】
送信モジュール１０５４は、ネットワークノード１２０の送信機能を実行することができる。例えば、送信モジュール１０５４は、スロットが第２のタイプの第１のものであるかどうかを示すスロットに関する制御情報を送信することができる。送信モジュール１０５４は、制御データおよびユーザデータを送信することができる。送信モジュール１０５４は、上記の例および実施形態のいずれかに従って送信することができる。特定の実施形態では、送信モジュール１０５４が処理回路１０２０を含み、または含むことができる。特定の実施形態では、送信モジュール１０５４が受信モジュール１０５０及び信号位置決めモジュール１０５２と通信してもよい。
【００９５】
本発明の範囲から逸脱することなく、本明細書に開示されたシステムおよび装置に修正、追加、または省略がなされてもよい。システムおよび装置の構成要素は、統合されていても、分離されていてもよい。さらに、システムおよび装置の操作はより多くの、より少ない、または他の構成要素によって実行されてもよい。さらに、システムおよび装置の動作は、ソフトウェア、ハードウェア、および／または他のロジックを備える任意の適切なロジックを使用して実行されてもよい。本明細書で使用されるように、「各」は、セットの各メンバ、またはセットのサブセットの各メンバを指す。
【００９６】
本発明の範囲から逸脱することなく、本明細書に開示された方法に修正、追加、または省略がなされてもよい。この方法はより多くの、より少ない、または他のステップを含むことができる。さらに、ステップは、任意の適切な順序で実行されてもよい。
【００９７】
本開示は特定の実施形態に関して説明されてきたが、実施形態の変更および置換は当業者には明らかであろう。したがって、実施形態の上記の説明は、本開示を制約しない。以下の特許請求の範囲によって定義されるように、本開示の精神および範囲から逸脱することなく、他の変更、置換、および変更が可能である。
【００９８】
前の説明で使用した略語には、以下のものが含まれる：
３ＧＰＰ  第三世代パートナーシッププロジェクト
ＢＴＳ  基地送受信局
Ｄ２Ｄ  デバイスツーデバイス
ＤＭＲＳ  復調基準信号
ｅＮＢ  ｅＮｏｄｅＢ
ＦＤＤ  周波数分割複信
ＨＡＲＱ  ハイブリッド自動再送要求
ＬＴＥ  Ｌｏｎｇ  Ｔｅｒｍ  Ｅｖｏｌｕｔｉｏｎ
ＭＡＣ  メディアアクセス制御
Ｍ２Ｍ  マシンツーマシン
ＭＩＭＯ  多入力多出力
ＭＴＣ  マシンタイプ通信
ＮＲ  Ｎｅｗ  Ｒａｄｉｏ
ＯＦＤＭ  直交周波数分割多重
ＰＤＣＣＨ 物理ダウンリンク制御チャネル
ＰＤＳＣＨ 物理ダウンリンク共有チャネル
ＰＵＣＣＨ 物理アップリンク制御チャネル
ＲＡＮ  無線アクセスネットワーク
ＲＡＴ  無線アクセス技術
ＲＢＳ  無線基地局
ＲＮＣ  無線ネットワーク制御装置
ＲＲＣ  無線リソース制御
ＲＲＨ  リモートラジオヘッド
ＲＲＵ  リモート無線ユニット
ＳＩＮＲ  信号対干渉雑音比
ＴＤＤ  時分割複信
ＵＥ  ユーザ機器
ＵＬ  アップリンク
ＵＲＬＬＣ 超高信頼低遅延通信
ＵＴＲＡＮ ユニバーサル地上無線アクセスネットワーク
ＷＡＮ  無線アクセスネットワーク
【図１】
2020526080.tif 000003
【図２】
2020526080.tif 000004
【図３】
2020526080.tif 000005
【図４】
2020526080.tif 000006
【図５】
2020526080.tif 000007
【図６】
2020526080.tif 000008
【図７】
2020526080.tif 000009
【図８】
2020526080.tif 000010
【図９Ａ】
2020526080.tif 000011
【図９Ｂ】
2020526080.tif 000012
【図１０Ａ】
2020526080.tif 000013
【図１０Ｂ】
2020526080.tif 000014
【手続補正書】
【提出日】平成31年3月15日(2019.3.15)
【手続補正１】
【補正対象書類名】特許請求の範囲
【補正対象項目名】全文
【補正方法】変更
【補正の内容】
【特許請求の範囲】
【請求項１】
無線通信ネットワークの無線送信機において使用するための方法であって、
前記無線通信ネットワークの無線受信機に、スロットに関する制御情報であって、
前記スロットが第１のタイプであるか第２のタイプであるかのインジケーションと、
前記スロットが前記第２のタイプである場合に、基準信号のタイミングのインジケーションと、
を含む制御情報を送信すること（７１４）を含み、
前記第１のタイプのスロットは、あらかじめスケジューリングされたスロット間隔に対応し、
前記第２のタイプのスロットは、あらかじめスケジューリングされたスロット間隔境界の間で始まり任意の長さを有するか、またはあらかじめスケジューリングされたスロット間隔境界で始まり短縮された長さを有する方法。
【請求項２】
請求項１に記載の方法であって、前記スロットが前記第１のタイプである場合は、前記制御情報に明示的な基準信号のタイミングのインジケーションが不在であり、明示的な基準信号のタイミングのインジケーションの前記不在は、所定の基準信号のタイミングを意味する方法。
【請求項３】
請求項２に記載の方法であって、
前記所定の基準信号のタイミングは、前記スロット内の所定のシンボルであって、
制御データの送信のための先頭シンボルと、
少なくともデータの送信のための先頭シンボルと、
データのみの送信のための先頭シンボルと、
ダウンリンク制御シグナリングのためにモニタリングされるべき制御リソースセット（ＣＯＲＥＳＥＴ）を備える先頭シンボルと、
スロット間隔における先頭シンボルと、
制御データの送信のための最終シンボルと、
少なくともデータの送信のための最終シンボルと、
データのみの送信のための最終シンボルと、
ダウンリンク制御シグナリングのためにモニタリングされるべきＣＯＲＥＳＥＴを備える最終シンボルと、
スロット間隔における最終シンボルと、
のいずれかである前記所定のシンボルに対する所定のオフセットである方法。
【請求項４】
請求項２に記載の方法であって、前記制御情報はデータチャネルの開始位置のインジケーションを含み、前記所定の基準信号のタイミングは、指示された前記データチャネルの開始位置に対する所定のオフセットである方法。
【請求項５】
請求項１から４のいずれか１項に記載の方法であって、前記基準信号は復調基準信号（ＤＭ−ＲＳ）を含む方法。
【請求項６】
請求項１から５のいずれか１項に記載の方法であって、前記基準信号のタイミングのインジケーションは、複数の基準信号に関連付けられる方法。
【請求項７】
請求項６に記載の方法であって、前記複数の基準信号内の各基準信号は、独立したタイミングを有する方法。
【請求項８】
請求項６に記載の方法であって、前記複数の基準信号中の第１の基準信号は独立したタイミングを有し、前記複数の基準信号中の第２の基準信号は前記第１の基準信号に対して固定オフセットを有し、前記基準信号のタイミングのインジケーションが前記第１の基準信号の明示的なタイミングのインジケーションを含むが、前記第２の基準信号の明示的なタイミングのインジケーションを含まない方法。
【請求項９】
請求項１から８のいずれか１項に記載の方法であって、前記制御情報は、少なくとも１つの基準信号に対する明示的な基準信号のタイミングのインジケーションを含む方法。
【請求項１０】
請求項１から９のいずれか１項に記載の方法であって、前記第２のタイプの前記スロットは、スケジューリング可能なシンボル数を含むミニスロットであり、前記スケジューリング可能なシンボル数はスロット間隔のシンボル数未満である方法。
【請求項１１】
処理回路（９２０、１０２０）を含む無線送信機（１１０、１２０）であって、
無線受信機に、スロットに関する制御情報であって、
前記スロットが第１のタイプであるか第２のタイプであるかのインジケーションと、
前記スロットが前記第２のタイプである場合に、基準信号のタイミングのインジケーションと、
を含む制御情報を送信するよう動作可能であり、
前記第１のタイプのスロットは、所定のスロット間隔に対応し、
前記第２のタイプのスロットは、所定のスロット間隔境界の間で始まり任意の長さを有するか、または所定のスロット間隔境界で始まり短縮した長さを有する無線送信機。
【請求項１２】
請求項１１に記載の無線送信機であって、前記スロットが前記第１のタイプである場合は、前記制御情報に明示的な基準信号のタイミングのインジケーションが不在であり、明示的な基準信号のタイミングのインジケーションの前記不在は、所定の基準信号のタイミングを意味する無線送信機。
【請求項１３】
請求項１２に記載の無線送信機であって、
前記所定の基準信号のタイミングは、前記スロット内の所定のシンボルであって、
制御データの送信のための先頭シンボルと、
少なくともデータの送信のための先頭シンボルと、
データのみの送信のための先頭シンボルと、
ダウンリンク制御シグナリングのためにモニタリングされるべき制御リソース設定（ＣＯＲＥＳＥＴ）を備える先頭シンボルと、
スロット間隔における先頭シンボルと、
制御データの送信のための最終シンボルと、
少なくともデータの送信のための最終シンボルと、
データのみの送信のための最終シンボルと、
ダウンリンク制御シグナリングのためにモニタリングされるべきＣＯＲＥＳＥＴを備える最終シンボルと、
スロット間隔における最終シンボルと、
のいずれかである前記所定のシンボルに対する所定のオフセットである無線送信機。
【請求項１４】
請求項１２に記載の無線送信機であって、前記制御情報はデータチャネルの開始位置のインジケーションを含み、前記所定の基準信号のタイミングは、指示された前記データチャネルの開始位置に対する所定のオフセットである無線送信機。
【請求項１５】
請求項１１から１４のいずれか１項に記載の無線送信機であって、前記基準信号は復調基準信号（ＤＭ−ＲＳ）を含む無線送信機。
【請求項１６】
請求項１１から１５のいずれか１項に記載の無線送信機であって、前記基準信号のタイミングのインジケーションは、複数の基準信号に関連付けられる無線送信機。
【請求項１７】
請求項１６に記載の無線送信機であって、前記複数の基準信号内の各基準信号は、独立したタイミングを有する無線送信機。
【請求項１８】
請求項１６に記載の無線送信機であって、前記複数の基準信号中の第１の基準信号は独立したタイミングを有し、前記複数の基準信号中の第２の基準信号は前記第１の基準信号に対して固定オフセットを有し、前記基準信号のタイミングのインジケーションが前記第１の基準信号の明示的なタイミングのインジケーションを含むが、前記第２の基準信号の明示的なタイミングのインジケーションを含まない無線送信機。
【請求項１９】
請求項１１から１８のいずれか１項に記載の無線送信機であって、前記制御情報は、少なくとも１つの基準信号に対する明示的な基準信号のタイミングのインジケーションを含む無線送信機。
【請求項２０】
請求項１１から１９のいずれか１項に記載の無線送信機であって、前記第２のタイプの前記スロットは、スケジューリング可能なシンボル数を含むミニスロットであり、前記スケジューリング可能なシンボル数は、スロット間隔のシンボル数未満である無線送信機。
【請求項２１】
無線通信ネットワークの無線受信機において使用するための方法であって、
前記無線通信ネットワークの無線送信機から、スロットに関する制御情報であって、スロットタイプのインジケーションを含む、制御情報を受信すること（８１２）と、
前記スロットタイプの前記インジケーションに基づいて、前記スロットが第１のタイプであるか第２のタイプであるかを判定すること（８１４）と、
を含み、
前記第１のタイプのスロットはスロット間隔の境界で開始し、前記第２のタイプのスロットはスロット間隔の境界の間で開始して任意の長さを有するか、またはスロット間隔の境界で開始して短縮された長さを有し、
前記スロットが前記第２のタイプである場合、基準信号のタイミングのインジケーションが前記制御情報の一部として受信される方法。
【請求項２２】
処理回路（９２０、１０２０）を含む無線受信機（１１０、１２０）であって、
送信機から、スロットに関する制御情報であって、スロットタイプのインジケーションを含む、制御情報を受信し、
前記スロットタイプのインジケーションに基づいて、前記スロットが第１のタイプであるか第２のタイプであるかを判定する、
ように動作可能な処理回路（９２０、１０２０）を含み、
前記第１のタイプのスロットはスロット間隔の境界で開始し、前記第２のタイプのスロットはスロット間隔境界の間で開始して任意の長さを有するか、またはスロット間隔の境界で開始して短縮された長さを有し、
前記スロットが前記第２のタイプである場合、基準信号のタイミングのインジケーションが前記制御情報の一部として受信される無線受信機。
【国際調査報告】
2020526080.tif 000015
2020526080.tif 000016